(57)【要約】【課題】防犯性を高めた集合用インターホン住戸親機を提供する。【解決手段】集合用インターホン住戸親機１０は、住戸に設置された防犯センサー１２を監視して異常報知を行う機能を有し、共同玄関子器２０との間で通話信号を伝送する構内インターホン回線３０から受電してインターホン住戸親機１０の各部に作動電源を供給する受電回路１０ｇを備えており、防犯センサー１２が作動したときには表示画面１０ａを点灯させて異常報知する。【選択図】図１
2017085492.tif 000002
【特許請求の範囲】
【請求項１】
住戸に設置された防犯センサーを監視して異常報知を行う機能を有した集合用インターホン住戸親機において、
共同玄関子器との間で通話信号を伝送する構内インターホン回線から受電してインターホン住戸親機の各部に作動電源を供給する受電回路を備えており、
前記防犯センサーが作動したときには表示画面を点灯させて異常報知することを特徴とする集合用インターホン住戸親機。
【請求項２】
請求項１に記載の集合用インターホン住戸親機と共同玄関子器とを組み合わせて構成される集合用インターホン装置であって、
前記構内インターホン回線を通じて前記集合用インターホン住戸親機に給電する給電装置を備えていることを特徴とする集合用インターホン装置。
【請求項３】
請求項２に記載の集合用インターホン装置において、
前記給電装置は、前記共同玄関子器と前記集合用インターホン住戸親機との間の呼出通話を制御するシステム制御装置に組み込まれていることを特徴とする集合用インターホン装置。
【発明の詳細な説明】
【技術分野】
【０００１】
本発明は、住戸に設置された防犯センサーを監視して異常報知を行う機能を有した集合用インターホン住戸親機、およびその住戸親機を用いて構成される集合用インターホン装置に関する。
【背景技術】
【０００２】
従来、前記のような集合用インターホン住戸親機は、防犯センサーが作動すると表示画面やスピーカーによって異常報知を行うように構成されている。これに関連する従来技術の例として、次の特許文献には、人感センサーの検知信号によって表示画面を点灯させてカメラ付ドアホン子器の撮影した映像を表示させることが記載されている。
【先行技術文献】
【特許文献】
【０００３】
【特許文献１】特開２００３−３４６２５９号公報
【発明の概要】
【発明が解決しようとする課題】
【０００４】
しかしながら集合用インターホン住戸親機は一般に各住戸内のコンセント配線から電源供給されているため、不審者が侵入してブレーカーをオフにしてしまうと異常報知が停止してしまうという問題があった。本発明はこのような問題に着目してなされたものであり、より防犯性を高めた集合用インターホン住戸親機及び集合用インターホン装置を提供することを目的としている。
【課題を解決するための手段】
【０００５】
本発明による集合用インターホン住戸親機は、住戸に設置された防犯センサーを監視して異常報知を行う機能を有し、共同玄関子器との間で通話信号を伝送する構内インターホン回線から受電してインターホン住戸親機の各部に作動電源を供給する受電回路を備えており、前記防犯センサーが作動したときには表示画面を点灯させて異常報知することを特徴とする。
【０００６】
また本発明による集合用インターホン装置は、前記集合用インターホン住戸親機と共同玄関子器とを組み合わせて構成される集合用インターホン装置であって、前記構内インターホン回線を通じて前記集合用インターホン住戸親機に給電する給電装置を備えていることを特徴とする。
【発明の効果】
【０００７】
本発明よれば、集合用インターホン住戸親機は、構内インターホン回線から受電して作動するので、夜間に不審者が窓等から住戸内に侵入してブレーカーをオフしても、防犯センサーの作動によって開始された警報音は鳴動継続される。そのため居住者が寝入っていて気づかないという不具合が防止できる。またその警報音に気づいた居住者がリビング等を見回るときに照明器具が点灯不能になっていても、表示画面の明かりによってぼんやりとではあるが周囲を確認できる。
【図面の簡単な説明】
【０００８】
【図１】実施形態の一例とされる集合用インターホン装置の簡単なシステム構成図である。
【図２】住戸親機及びドアホン子器の基本的な回路構成を示すブロック図である。
【図３】住戸親機の正面及び背面図である。
【図４】共同玄関子器と、システム制御装置の基本的な回路構成を示すブロック図である。
【図５】防犯センサーの監視、警報に係る基本動作を説明するフローチャートである。
【図６】警報画面の一例を示す住戸親機の正面図である。
【発明を実施するための形態】
【０００９】
図１は、実施形態の一例とされる集合用インターホン装置の簡単なシステム構成図である。
インターホン装置１は、住棟内の各住戸に設置される集合用インターホン住戸親機（以下では住戸親機と呼ぶ）１０…と、共同玄関に設置される共同玄関子器２０とを構内インターホン回線３０によって接続した基本構成になっている。住戸親機１０の各々は構内インターホン回線３０から分岐器３１によって引き出された伝送線に接続され、更にドアホン子器１１が有線接続されている。また住戸親機１０は、住戸に設置された防犯センサー１２や非常スイッチ（図示なし）等を監視して異常報知を行う機能を有している。ここでは防犯センサー１２の一例として窓等の開放を検知する複数のマグネットセンサーが有線接続されている。なお、防犯センサー１２は侵入者を検知する赤外センサー、窓割れ等を検知する衝撃センサー等であってもよい。
【００１０】
システム制御装置４０は構内インターホン回線３０による共同玄関子器２０と住戸親機１０との間の呼出通話を制御する要素であり、ここから構内インターホン回線３０が導出されている。共同玄関子器２０もシステム制御装置４０に有線接続されている。なお管理室親機（図示なし）がシステム制御装置４０に更に接続されていてもよい。
共同玄関子器２０と住戸親機１０との間での呼出通話、ドアホン子器１１と住戸親機１０との間での呼出通話に係る機能は従来と同様であるので、その詳しい説明は省略する。
【００１１】
給電装置５０は構内インターホン回線３０を通じて住戸親機１０に作動電源を供給する要素であり、電源コンセント（ＡＣ１００Ｖ）に接続される。例えば給電装置５０は構内インターホン回線３０に４８Ｖの直流電源を印加する。なお給電装置５０はシステム制御装置４０に組み込まれていてもよい。
【００１２】
構内インターホン回線３０は、住戸親機１０と共同玄関子器２０との間の通話信号を伝送する伝送線と、住戸親機１０に給電する給電線とを独立させてもよいし、共通信号線を用いて通話信号に電源を重畳させてもよい。なお伝送線、給電線は無極性としても有極性としてもよい。
【００１３】
分岐器３１は、構内インターホン回線３０から住戸親機１０に向かう給電線に過剰電流が流れたときにその給電線を遮断するヒューズあるいはポリマースイッチ（図示なし）を備えてもよい。そうしておけば住戸親機１０の一つで短絡等が生じたときに、同一の構内インターホン回線３０に繋がる全ての住戸親機１０…が作動不能になるという不具合が防止できる。
【００１４】
住戸親機１０は、給電装置５０から構内インターホン回線３０を通じて供給される作動電源によって動作するように構成されている。また防犯センサー１２が作動したときには警報音を鳴動させ、同時に表示画面（液晶パネル）１０ａを点灯させて異常報知するように構成されている。
【００１５】
そのため夜間に不審者が窓等から住戸内に侵入してブレーカーをオフにしても、防犯センサー１２の作動によって開始された警報音は鳴動継続される。そのため居住者が寝入っていて気づかないという不具合が防止できる。またその警報音に気づいた居住者がリビング等を見回るときに照明器具が点灯不能になっていても、住戸親機１０の表示画面１０ａの明かりによってぼんやりとではあるが周囲を確認できる。
【００１６】
なおマグネットセンサーは、磁性体リードを一定間隔に近接配置してスイッチとし不活性ガス中に封じたリードスイッチ１２ａと、その磁性体リードに作用するマグネット１２ｂとを組み合わせたものである。磁性体リードは近傍にマグネット１２ｂがあるときには磁気を帯び互いに吸着することでスイッチを閉じ（感動）、マグネット１２ｂが遠ざかると磁気を失ってスイッチを開くように作用する。よってリードスイッチ１２ａ、マグネット１２ｂをそれぞれ窓枠、窓の適所に固定しておけば、窓が開放されたことを検知することが可能になる。またマグネットセンサーを直列につないで監視ループを形成すれば複数の窓を同時に監視することも可能である。
【００１７】
図２は住戸親機及びドアホン子器の基本的な回路構成を示すブロック図である。
住戸親機１０は、スピーカー１０ｂ、マイク１０ｃによって通話音声の入出力を行う音声処理部１０ｄと、表示画面１０ａによって来客映像等を表示する映像処理部１０ｅと、操作キー等で構成される操作部１０ｆとを備えている。また住戸親機１０は、構内インターホン回線３０から受電して各部に作動電源を供給する受電回路１０ｇと、防犯センサー１２等を監視する監視部１０ｈとを備えている。受電回路１０ｇは例えばダイオードブリッジ等で構成される。制御部１０ｉはマイコン回路等で構成され、記憶部１０ｊに格納されている制御プログラムに基づいて各部を制御する。接続部１０ｋは端子台あるいはコネクタ等で構成される。この接続部１０ｋには、構内インターホン回線３０から分岐器３１によって分岐された伝送線、給電線、ドアホン子器１１との接続線、防犯センサー１２の配線等が接続される。
【００１８】
ドアホン子器１１は、スピーカー１１ｂ、マイク１１ｃによって通話音声の入出力を行う音声処理部１１ｄと、カメラ１１ｍによって来客等を撮影する映像処理部１１ｅと、呼出釦等で構成される操作部１１ｆとを備えている。制御部１１ｉはマイコン回路等で構成され、記憶部１１ｊに格納されている制御プログラムに基づいてこれらの各部を制御する。接続部１１ｋは端子台あるいはコネクタ等で構成される。
【００１９】
図３（ａ）、（ｂ）はそれぞれ住戸親機の正面及び背面図である。
住戸親機１０の正面には、表示画面１０ａとタッチパネル式の操作部（終了、通話、解錠）１０ｆとが配置されている。表示画面１０ａの左側には表示灯（警戒）１０ｔが設けられている。表示画面１０ａの下側にはスピーカー１０ｂに対応したスピーカー孔１０ｐが形成され、更に操作キー（メニュー）からなる操作部１０ｆが配置されている。また右側にはマイク１０ｂに対応したマイク孔１０ｑが形成されている。
【００２０】
住戸親機１０の背面には、接続部１０ｋを構成する端子台と、住戸番号を登録するディップスイッチ１０ｒとが設けられている。端子台は、構内インターホン回線３０から分岐された伝送線用、給電線用の端子と、防犯センサー１２あるいは非常スイッチ用の端子と、ドアホン子器用の端子とを有する。また住戸親機１０の背面の両側には、壁面固定具（図示なし）のフック等に対応した固定穴１０ｓが形成されている。
【００２１】
図４（ａ）、（ｂ）は集合用インターホン装置の共用部、すなわち共同玄関子器と、システム制御装置の基本的な回路構成を示すブロック図である。ここでは、給電装置５０の機能がシステム制御装置４０に組み込まれている構成を示している。
【００２２】
共同玄関子器２０は、住戸番号等を表示する表示部２０ａと、スピーカー２０ｂ、マイク２０ｃによって通話音声の入出力を行う音声処理部２０ｄと、カメラ２０ｍによって来客等を撮影する映像処理部２０ｅと、テンキーや呼出釦等で構成される操作部２０ｆとを備えている。制御部２０ｉはマイコン回路等で構成され、記憶部２０ｊに格納されている制御プログラムに基づいてこれらの各部を制御する。接続部２０ｋは端子台あるいはコネクタ等で構成される。
【００２３】
システム制御装置４０は、商用電源（ＡＣ１００Ｖ）を整流する電源回路４０ｘと、構内インターホン回線３０を通じて住戸親機１０に作動電源を供給する給電回路４０ｙとを備えている。構内インターホン回線３０が複数系統の場合、給電回路４０ｙは系統毎に設けてもよいし、複数系統で共通化してもよい。また給電回路４０ｙは構内インターホン回線３０の短絡等に備えて、過剰電流が流れると構内インターホン回線３０を自動的に遮断するヒューズあるいはポリマースイッチ（図示なし）等を備えてもよい。制御部４０ｉはマイコン回路等で構成され、記憶部４０ｊに格納されている制御プログラムに基づいて、共同玄関子器２０と住戸親機１０との呼出通話を制御する。接続部４０ｋは端子台あるいはコネクタ等で構成される。なおシステム制御装置４０は、住戸親機１０に加えて、共同玄関子器２０に作動電源を供給してもよい。またシステム制御装置４０は共同玄関子器２０と一体に構成してもよい。
【００２４】
図５は住戸親機の防犯監視、異常報知に係る基本動作を説明するフローチャートである。
ステップ１００は、操作部１０ｆによる警戒モードの設定操作を監視する処理である。ステップ１０１、１０２は警戒モードになったあとの処理手順を示している。ステップ１０１は表示灯１０ｔを点灯させる処理である。ステップ１０２は防犯センサー１２の作動を監視する処理である。ステップ１０２は防犯センサー１２が作動するか、警戒モードが解除操作されるまで繰り返し実行される（警戒モードの解除操作を監視する処理の説明は省略）。
ステップ１０３〜１１０は防犯センサー１２が作動したあとの処理手順を示している。ステップ１０３は表示灯１０ｔを点滅させる処理である。ステップ１０４は表示画面１０ａを点灯させて警報画面を表示する処理である。ステップ１０５はスピーカー１０ｂから警報音を鳴動させる処理である。
ステップ１０６は所定時間、例えば１分間の計時を開始する処理である。
ステップ１０７、１０８は解除操作がその所定時間の内になされたか否かを判断する処理である。ステップ１０９は解除操作がなされずに所定時間が経過した場合に、ドアホン子器１１、あるいは管理室親機に通報する処理である。この通報を受けたドアホン子器１１、管理室親機は警報音又は警報メッセージを鳴動させる。
ステップ１１０は前記所定時間内に解除操作がなされた場合に、警報音を停止させ、表示灯１０ｔを点灯に戻し、表示画面１０ａを消灯する復旧処理である。
なお防犯センサー１２が作動してから所定時間、例えば２分間が経過したときに警報音が自動停止する構成としてもよい。ただしそうしたときでも表示灯１０ｔの点滅は継続させるとよい。またドアホン子器１１、あるいは管理室親機に通報する処理は、防犯センサー１２が作動したとき直ちに実行してもよい。
【００２５】
図６は警報画面の一例を示す住戸親機の正面図である。
警戒中、住戸親機１０は省エネのため表示画面１０ａを消灯させる。ただし表示画面１０ａの左側に設けられた表示灯１０ｔを点灯させることによって警戒状態であることを示す。
そして住戸親機１０は、防犯センサー１２が作動して報知状態になると表示画面１０ａを点灯させて異常報知する。このとき表示する警報画面の内容は特に制限されないが、この例では鍵マークを強調した防犯異常アイコンと、このとき操作される可能性の高いタッチキー（警報音停止、解除、トップメニュー）とを組み合わせたものにしている。また警報画面では作動した防犯センサー１２の系統情報（防犯１等）も表示するとよい。また警報画面は通常時よりも輝度を高くして、夜間消灯していてもその明かりによって周囲を容易に確認できるようにするとよい。
【符号の説明】
【００２６】
１            集合用インターホン装置
１０          集合用インターホン住戸親機
１０ａ        表示画面
１０ｇ        受電回路
１２          防犯センサー
２０          共同玄関子器
３０          構内インターホン回線
４０          システム制御装置
５０          給電装置
【図１】
2017085492.tif 000003
【図２】
2017085492.tif 000004
【図３】
2017085492.tif 000005
【図４】
2017085492.tif 000006
【図５】
2017085492.tif 000007
【図６】
2017085492.tif 000008